(57)【特許請求の範囲】
【請求項１】
第１端に釣糸取付部（２）を持ち前記第１端と反対側の端部である第２端および中央の少なくとも一方にフック取付部（４，３）を持つボディ（１）と、前記ボディ（１）に対する角度を変え得るように且つ前記第１端と前記第２端を結ぶ軸線に対称に前記ボディ（１）に取り付けられ且つ前記第１端と反対側の端部である第２端から前記第１端への空気流によりボディ（１）に対する角度が小さくなると共に前記第１端から前記第２端への水流によりボディ（１）に対する角度が大きくなる可動板状体（７，８）とを具備してなることを特徴とするルアー（１００）。
【請求項２】
請求項１に記載のルアー（１００）において、前記ボディ（１）は、動物を模した形であり、前記可動板状体（７，８）は、耳，ヒレ，舌，羽根の少なくとも一つを模した形であり、前記第１端は前記動物の頭部であり、前記第２端は前記動物の尻部であることを特徴とするルアー（１００）。
【請求項３】
請求項１に記載のルアー（１００）において、前記ボディ（１）は、ネズミを模した形であり、前記可動板状体（７，８）は、耳を模した形であり、前記第１端は前記ネズミの頭部であり、前記第２端は前記ネズミの尻部であることを特徴とするルアー（１００）。
【発明の詳細な説明】
【０００１】
【発明の属する技術分野】
本発明は、ルアー（疑似餌）に関し、さらに詳しくは、正確なキャスティング（狙ったポイントに投げる動作）を可能にすると共に魚を食い付かせやすくするルアーに関する。
【０００２】
【従来の技術】
図１３は、特許第２７００８７１号公報に開示されたルアーの内部機構を示す模式図である。
このルアー５００は、ライン（釣糸）Ｌおよび図示しないフック（釣針）を取り付けうるボディ５１と、そのボディ５１から左右に突き出た胸ビレ５２ａ，５２ｂと、尾部から突き出た尾ビレ５３と、前記胸ビレ５２ａ，５２ｂおよび前記尾ビレ５３とを互いに相反する方向に揺動する連動機構５４とを具備して構成されている。
【０００３】
ルアー５００をリトリーブ（ルアーを引いてくる動作）すると、胸ビレ５２ａ，５２ｂに水の抵抗がかかるが、強さにアンバランスがある。例えば、胸ビレ５２ａにかかる水の抵抗が小さく、胸ビレ５２ｂにかかる水の抵抗が大きいと、図１４の矢印に示すように、胸ビレ５２ａの端がボディ５１から遠ざかり且つ胸ビレ５２ｂの端がボディ５１に近づく方向に傾く。すると、連動機構５４により、図１４の矢印に示すように、胸ビレ５２ｂの方向に尾ビレ５３が傾く。これにより、図１４の一点鎖線で示すように、ルアー５００が旋回する。ところが、図１４の一点鎖線で示すようにルアー５００が旋回すると、先とは逆に胸ビレ５２ａにかかる水の抵抗が大きくなり、胸ビレ５２ｂにかかる水の抵抗が小さくなる。すると、胸ビレ５２ａの端がボディ５１に近づき且つ胸ビレ５２ｂの端がボディ５１から遠ざかる方向に傾く。すると、連動機構５４により、胸ビレ５２ａの方向に尾ビレ５３が傾く。これにより、先とは逆方向にルアー５００が旋回する。これが繰り返されて、ルアー５００が揺動する。
上記の原理により、ロッド（釣り竿）を左右に振るテクニックを駆使せずとも、単純なリトリーブを継続するだけで、ルアー５００が左右にくねり、これにつられて魚が食い付きやすくなる。
【０００４】
なお、胸ビレ５２ａ，５２ｂや尾ビレ５３を可動にすることでボディ１が鋭く揺動するが、胸ビレ５２ａ，５２ｂが固定でもルアー５００は揺動する（動きは多少鈍くなる）。
【０００５】
また、実用新案登録第３０５８８１２号公報には、亀型のボディから突出した４足（左前足，右前足，左後足，右後足）を、ロッドアクションによるライン張力の変化で振動させることで、亀本来の動きを模擬し、魚をヒットさせやすくしたルアーが開示されている。
【０００６】
さらに、特許第３０６９８５６号公報には、ボディの左右両側に、付け替えパーツを任意の角度で嵌合させて取り付けるようにしたルアーが開示されている。
【０００７】
さらにまた、実用新案登録第３０３９６２１号公報には、蝦型のボディの両側に羽毛状の平衡翼を設けると共に、該ボディの下腹部に水中姿勢を安定化する平衡体を延伸したルアーが開示されている。
【０００８】
【発明が解決しようとする課題】
上記従来のルアー５００では、ボディ５１から胸ビレ５２ａ，５２ｂが突出しているため、キャスティング時に空中を飛翔している間、胸ビレ５２ａ，５２ｂに空気抵抗がかかり、飛距離が短くなったり、方向が曲がったりし、アングラー（釣り人）が狙ったポイントに正確にキャスティングすることが難しくなる問題点がある。
【０００９】
また。実用新案登録第３０５８８１２号公報、特許第３０６９８５６号公報および実用新案登録第３０３９６２１号公報に開示されたルアーも、ボディからの突出部（足，付け替えパーツ，平衡翼，平衡体）があるため、同様の問題点がある。
【００１０】
そこで、本発明の目的は、正確なキャスティングを可能にすると共に魚を食い付かせやすくするルアーを提供することにある。
【００１１】
【課題を解決するための手段】
第１の観点では、本発明は、頭部に釣糸取付部（２）を持つネズミ形のボディ（１）と、前記ボディ（１）に対する角度を変え得るようにヒンジ（５，６）で前記ボディ（１）の左面及び右面に取り付けられた耳（７，８）とを具備し、前記耳（７，８）は、尻部から頭部への空気流によりボディ（１）に対する角度が小さくなると共に頭部から尻部への水流によりボディ（１）に対する角度が大きくなることを特徴とするルアー（１００）を提供する。
上記第１の観点によるルアー（１００）では、キャスティング時に空中を飛翔している間は尻部から頭部への空気流となるので、ボディ（１）に対する耳（７，８）の角度が小さくなる。よって、空気抵抗により飛距離が短くなったり、方向が曲がったりすることがない。すなわち、狙ったポイントに正確にキャスティングできるようになる。
一方、リトリーブ時には頭部から尻部への水流となるので、ボディ（１）に対する耳（７，８）の角度が大きくなる。よって、ボディ（１）が揺動し、魚を食い付かせやすくすることが出来る。
【００１２】
第２の観点では、本発明は、第１端に釣糸取付部（２）を持つボディ（１）と、前記ボディ（１）に対する角度を変え得るように前記ボディ（１）に取り付けられ且つ前記ボディ（１）の第２端から第１端への空気流によりボディ（１）に対する角度が小さくなると共に第１端から第２端への水流によりボディ（１）に対する角度が大きくなる可動板状体（７，８）とを具備してなることを特徴とするルアー（１００）を提供する。
上記第２の観点によるルアー（１００）では、キャスティング時に空中を飛翔している間は第２端から第１端への空気流となるので、ボディ（１）に対する可動板状体（７，８）の角度が小さくなる。よって、空気抵抗により飛距離が短くなったり、方向が曲がったりすることがない。すなわち、狙ったポイントに正確にキャスティングできるようになる。
一方、リトリーブ時には第１端から第２端への水流となるので、ボディ（１）に対する可動板状体（７，８）の角度が大きくなる。よって、ボディ（１）が揺動し、魚を食い付かせやすくすることが出来る。
【００１３】
第３の観点では、本発明は、上記構成のルアー（１００）において、前記ボディ（１）は、動物を模した形であり、前記可動板状体（７，８）は、耳，ヒレ，舌，羽根の少なくとも一つを模した形であることを特徴とするルアー（１００）を提供する。
上記第３の観点によるルアー（１００）では、耳，ヒレ，舌，羽根を持つ動物に似せた形にしたので、例えばフィッシュ・イータ（魚食性の魚）や食虫魚に対する誘引能力をより高めることが可能となり、釣果の向上を期待できる。
【００１４】
【発明の実施の形態】
以下、図を参照して本発明の実施の形態を説明する。なお、これにより本発明が限定されるものではない。
【００１５】
図１は、本発明の一実施形態にかかるプラグタイプのルアーを示す上面図である。図２は、図１の左側面図である。図３は、図１の底面図である。図４は、図１の正面図である。図５は、図１の後面図である。図６は、図１のＡ−Ａ’断面図（縦断面図）である。
【００１６】
このルアー１００は、図示しないライン（釣糸）を取り付けるためのアイレット２を頭部に持つネズミ形のボディ１と、フック（釣針）Ｈ１，Ｈ２を取り付けるためのアイレット３，４と、前記ボディ１に対する角度を変え得るようにヒンジ５，６でボディ１の左面及び右面に取り付けられた耳７，８とを具備して構成されている。
【００１７】
耳７，８は、ヒンジ５，６でボディ１に取り付けられているため、ボディ１に対する角度が可変である。図１〜図６は、角度が最も小さくなった状態（以下、閉じた状態という）を表している。また、図７〜図９は、角度が最も大きくなった状態（以下、開いた状態という）を表している。
【００１８】
ボディ１の材料は、例えばＡＢＳ（Acrylonitrile Butadiene Styrene）樹脂や，バルサや，堅いウッドである。
耳７，８の材料は、例えばＡＢＳ樹脂や，ポリカーボネートである。
【００１９】
次に、前記ルアー１００を使用したフィッシングの手順について説明する。
（１）アングラーは、ロッドＲに装着されたリールＥに巻き付けられたラインＬの先端をルアー１００のアイレット２に結ぶ。図１０に示すように、ルアー１００を垂らした状態では、重力により耳７，８は開いた状態になる。
（２）アングラーが、ロッドＲを振ってキャスティングすると、極く初めは頭部を先にして飛ぶが、ラインＬを引っ張って飛ぶため、図１１に示すように、途中からは尻部が先になって飛ぶ。この状態になると、尻部から頭部への空気流になるため、耳７，８が閉じる。よって、空気抵抗が小さくなり、飛距離を伸ばすことが出来る。また、方向が曲がることもなくなる。
【００２０】
（３）リールＥにラインＬを巻き取ってリトリーブすると、図１２に示すように、頭部から尻部への水流になるため、耳７，８が開く。これにより、水抵抗でボディ１が揺動する。また、水面では、“パシャパシャ”といった水をはじく音を発生させる。これにより、魚Ｆを引きつけることが出来る。なお、ロッドＲをあおるテクニックを併用すれば、ボディ１をよじらせて耳７，８の一方だけを水に接触させることが可能となり、パシャ音に加えて、バス音を発生させることも出来る。さらに、ストップ＆ゴー（リーリングをしては止めるという動作）を行うことで、耳７，８がひらひらと開閉するため、魚Ｆを誘惑する能力をさらに高めることが出来る。
【００２１】
なお、ボディ１をネズミ以外の動物（例えば、魚や虫）を模した形にし、耳７，８の代わりにヒレ，舌，羽根などの板状体を模した形にしてもよい。
【００２２】
【発明の効果】
本発明のルアーによれば、キャスティング時や着水後に沈んでいく間はボディに対する耳の角度が小さくなり、空気抵抗により飛距離が短くなったり、方向が曲がったりすることがなくなる。すなわち、狙ったポイントに正確にキャスティングできるようになる。また、リトリーブ時にはボディに対する耳の角度が大きくなり、ボディが揺動し、魚を食い付かせやすくすることが出来る。また、耳を必要に応じて畳めるので、タックルボックス（道具箱）や輸送容器内で場所を取らない利点もある。
【図面の簡単な説明】
【図１】本発明の一実施形態にかかるルアー（耳を閉じた状態）を示す上面図である。
【図２】図１の左側面図である。
【図３】図１の底面図である。
【図４】図１の正面図である。
【図５】図１の後面図である。
【図６】図１の縦断面図である。
【図７】耳を開いた状態のルアーの上面図である。
【図８】図７の左側面図である。
【図９】図７の正面図である。
【図１０】キャスティング前の状態を示す説明図である。
【図１１】キャスティングによりルアーが飛翔中の状態を示す説明図である。
【図１２】リトリーブ時のルアーの状態を示す説明図である。
【図１３】従来のルアーの一例を示す模式図である。
【図１４】図１３のルアーの動きを示す説明図である。
【符号の説明】
１００      ルアー
１          ボディ
２，３，４  アイレット
５，６      ヒンジ
７，８      耳
Ｈ１，Ｈ２  フック
Ｌ          ライン
【図１】
0003920588.tif 000002
【図２】
0003920588.tif 000003
【図３】
0003920588.tif 000004
【図４】
0003920588.tif 000005
【図５】
0003920588.tif 000006
【図６】
0003920588.tif 000007
【図７】
0003920588.tif 000008
【図８】
0003920588.tif 000009
【図９】
0003920588.tif 000010
【図１０】
0003920588.tif 000011
【図１１】
0003920588.tif 000012
【図１２】
0003920588.tif 000013
【図１３】
0003920588.tif 000014
【図１４】
0003920588.tif 000015